(57)【要約】【課題】受信装置の音声復号化方式が特定音の再生に適していない場合においても、送信装置からの特定音を受信装置において適切な音で出力する。【解決手段】送信装置から無線送信された放送音を、中継装置を介して受信装置で受信して出力する無線通信システムにおいて、前記送信装置は、特定音種の音情報である第１の音情報を送信する場合に、前記第１の音情報とともに、前記第１の音情報を特定する制御情報を送信し、前記中継装置は、前記送信装置から前記制御情報を受信すると、該受信した制御情報を無線送信し、前記受信装置は、記憶部を備え、予め前記第１の音情報を前記制御情報と対応付けて前記記憶部に記憶しておき、前記中継装置から前記制御情報を受信すると、該受信した制御情報に基づき前記記憶部から前記第１の音情報を読み出して音で出力するように構成する。【選択図】  図３
2015070297.tif 000002
【特許請求の範囲】
【請求項１】
送信装置から無線送信された放送音を、中継装置を介して受信装置で受信して出力する無線通信システムであって、
前記送信装置は、特定音種の音情報である第１の音情報を送信する場合に、前記第１の音情報とともに、前記第１の音情報を特定する制御情報を送信し、
前記中継装置は、前記送信装置から前記制御情報を受信すると、該受信した制御情報を無線送信し、
前記受信装置は、記憶部を備え、予め前記第１の音情報を前記制御情報と対応付けて前記記憶部に記憶しておき、前記中継装置から前記制御情報を受信すると、該受信した制御情報に基づき前記記憶部から前記第１の音情報を読み出して音で出力することを特徴とする無線通信システム。
【請求項２】
請求項１に記載された無線通信システムであって、
前記送信装置は、前記第１の音情報と異なる音種である第２の音情報を送信し、
前記中継装置は、前記送信装置から前記第２の音情報を受信すると、該受信した第２の音情報を送信し、
前記受信装置は、前記中継装置から前記第２の音情報を受信すると、該受信した第２の音情報を音で出力することを特徴とする無線通信システム。
【請求項３】
請求項１又は請求項２に記載された無線通信システムであって、
前記中継装置は、前記送信装置から前記第１の音情報と前記制御情報とを受信した場合に、前記第１の音情報を送信することなく前記制御情報を送信することを特徴とする無線通信システム。
【請求項４】
請求項３に記載された無線通信システムであって、
前記送信装置は、前記第１及び第２の音情報を第１の音声符号器で符号化し、該符号化された前記第１及び第２の音情報と、前記制御情報とを、デジタル信号により無線送信し、
前記中継装置は、
前記送信装置から前記第１の音情報と前記制御情報とを受信した場合は、該受信した第１の音情報を、前記第１の音声符号器に対応する第１の音声復号器で復号化し、第１のアナログ信号に変換して音で出力するとともに、前記受信した制御情報をデジタル信号により前記受信装置へ無線送信し、
前記送信装置から前記第２の音情報を受信した場合は、該受信した第２の音情報を、前記第１の音声復号器で復号化し、第２のアナログ信号に変換して音で出力するとともに、前記第２のアナログ信号を、デジタル信号に変換し、前記第１の音声符号器と異なる第２の音声符号器で符号化して前記受信装置へ無線送信し、
前記受信装置は、
前記中継装置から前記制御情報を受信した場合は、該受信した制御情報に基づき前記記憶部から前記第１の音情報を読み出して音で出力し、
前記中継装置から前記第２の音声符号器で符号化された第２の音情報を受信した場合は、該受信した第２の音情報を、前記第２の音声符号器に対応する第２の音声復号器で復号化し、音で出力することを特徴とする無線通信システム。
【請求項５】
請求項４に記載された無線通信システムであって、
前記送信装置は、第１のデジタル無線通信システムの親局である第１の親局であり、
前記中継装置は、前記第１のデジタル無線通信システムの子局である第１の子局と、第２のデジタル無線通信システムの親局である第２の親局とを含むように構成され、
前記受信装置は、前記第２のデジタル無線通信システムの子局である第２の子局であり、
前記第１の子局は、
前記第１の親局から前記第１の音情報と前記制御情報とを受信した場合は、該受信した第１の音情報を、前記第１の音声復号器で復号化し、前記第１のアナログ信号に変換して音で出力するとともに、該第１のアナログ信号と前記受信した制御情報とを前記第２の親局へ送信し、
前記第１の親局から前記第２の音情報を受信した場合は、該受信した第２の音情報を、前記第１の音声復号器で復号化し、前記第２のアナログ信号に変換して音で出力するとともに、前記第２のアナログ信号を前記第２の親局へ送信し、
前記第２の親局は、
前記第１の子局から前記第１のアナログ信号と前記制御情報とを受信した場合は、前記制御情報をデジタル信号により前記第２の子局へ無線送信し、
前記第１の子局から前記第２のアナログ信号を受信した場合は、該受信した第２のアナログ信号を、デジタル信号に変換し前記第２の音声符号器で符号化して前記第２の子局へ無線送信することを特徴とする無線通信システム。
【請求項６】
送信装置から無線送信された放送音を、受信装置で受信して出力する無線通信システムであって、
前記送信装置は、第１の音情報を特定する制御情報を送信可能であるとともに、該第１の音情報と異なる音種である第２の音情報を音声符号化して送信可能であり、
前記受信装置は、記憶部を備え、予め前記第１の音情報を前記制御情報と対応付けて前記記憶部に記憶しておき、前記送信装置から前記制御情報を受信すると、該受信した制御情報に基づき前記記憶部から前記第１の音情報を読み出して音で出力し、前記送信装置から前記第２の音情報を受信すると、該受信した第２の音情報を音声復号化して音で出力することを特徴とする無線通信システム。
【発明の詳細な説明】
【技術分野】
【０００１】
本発明は、送信装置から受信装置へ特定音（例えば非音声情報）が送信された場合に、受信装置において送信装置から受信した特定音を正常な音で出力することのできる無線通信システムに関するものである。
【背景技術】
【０００２】
デジタル簡易無線局を、四値周波数偏位変調（以下、４値ＦＳＫ（Frequency−shift keying）と称する。）方式による無線設備を用いて構築する無線通信システムがある。この無線通信システムの規格は、社団法人電波産業会の標準規格「ARIB STD−T98  1.2版」により制定されている。
【０００３】
この規格において音声符号化方式は、Digital Voice Systems, Inc.のＡＭＢＥ＋2が推奨されている。ＡＭＢＥ＋２は、低ビット・レートで高品位の音声品質を実現するため、音声（人間の発声）に特化した符号化処理となっている。そのため、音楽のような音声と異なる音源からの非音声を、ＡＭＢＥ＋２で符号化すると、復号化した際に符号化する前の音源とは異なった音となってしまう。チャイム音や警報サイレンのような非音声についても同様である。
【０００４】
一方、同報系防災行政無線システム（以下、同報系システムと称する。）では、音声を放送するだけでなく、例えば時報を知らせる定時放送の際に、チャイム音や音楽を放送するのが一般的である。また、近年、消防庁が整備した全国瞬時警報システム（以下、Ｊ−ＡＬＥＲＴと称する。）と同報系システムとが連動するシステムの整備が進められている。このシステムは、Ｊ−ＡＬＥＲＴからの警報音を受信すると、同報系システムが自動起動し、Ｊ−ＡＬＥＲＴからの警報音を同報系システムで無線放送するものである。
【０００５】
したがって、同報系システムと、ＡＭＢＥ＋２の音声符号化方式を使用するデジタル簡易無線局とが連動する無線通信システムを構築すると、チャイム音、音楽、警報音といった非音声を、デジタル簡易無線局では正常に復号化処理できず、正常な音で出力できないという問題が発生する。
【０００６】
このような背景技術について、同報系システムと、自治会等地域コミュニティ活動を目的とした地区放送無線システム（以下、地区放送システムと称する。）とが連動する例を、図１９を使用して説明する。
【０００７】
同報系システムの親局と子局間の通信は、デジタル無線通信となっており、変調方式は１６値直交振幅変調（以下、１６ＱＡＭ（quadrature amplitude modulation）と称する。）方式、音声符号化は１６ｋｂｐｓ高効率音声符号化方式のＣＯＤＥＣ（coder/decoder）（以下、Ｓ−ＣＯＤＥＣと称する。）である。
【０００８】
同報系システムの子局では、親局から受信した音声信号や音楽信号をＳ−ＣＯＤＥＣで復号化し、アナログ変換したオーディオ信号として、再生し放送する。同報系システムでは、もともと前述の通りチャイム音や音楽を放送する目的があるため、親局から受信した音声信号や音楽信号を、同報系システムの子局で復号化して放送しても音質に問題は発生しない。したがって、同報系システムの子局において、音声信号と音楽信号とを共に正常に再生し放送することが可能である。図１９において、○（丸）印は、音声信号や音楽信号を正常に再生可能であることを示し、×印は、音声信号や音楽信号を正常に再生可能でないことを示す。
【０００９】
同報系システムと地区放送システムが接続され連動される接続部分では、同報系システムの子局でアナログ変換したオーディオ信号を、地区放送システムの親局へ有線により伝送するようにしており、音声信号と音楽信号とを共に、アナログオーディオ信号として伝送する。
【００１０】
地区放送システムの親局と子局間の通信は、デジタル簡易無線通信となっており、変調方式は４値ＦＳＫ方式、音声符号化はＡＭＢＥ＋２である。
地区放送システムの親局では、同報系システムの子局から受信したアナログオーディオ信号をデジタル化し、ＡＭＢＥ＋２で音声符号化して、地区放送システムの子局へ無線送信する。また、地区放送システムの親局では、同報系システムの子局から受信したアナログオーディオ信号（音声信号や音楽信号）を、正常に再生し放送することが可能である。
【００１１】
地区放送システムの子局では、地区放送システムの親局からの音声信号については、ＡＭＢＥ＋２により正常に復号化して放送することが可能であるが、非音声の音楽信号については、ＡＭＢＥ＋２により復号化するので、地区放送子局から正常な音で放送することができない。
【００１２】
下記の特許文献１には、デジタル系の同報系システムとアナログ系の地区放送システムを連動させることが開示されている。
【先行技術文献】
【特許文献】
【００１３】
【特許文献１】特開２０１３−１５０２９７公報
【発明の概要】
【発明が解決しようとする課題】
【００１４】
上述したように、背景技術においては、受信装置の音声復号化方式（上述の例では地区放送システム子局のＡＭＢＥ＋２）が、特定音（上述の例では非音声）の再生に適していない場合、その特定音を受信装置において適切な音で出力することができない。
本発明は、上述したような従来の課題を解決するために為されたもので、受信装置の音声復号化方式が特定音の再生に適していない場合においても、送信装置からの特定音を、受信装置において適切な音で出力することのできる無線通信システムを提供することを目的とする。
【課題を解決するための手段】
【００１５】
上記課題を解決するための、本願発明の代表的な構成は、次のとおりである。すなわち、
送信装置から無線送信された放送音を、中継装置を介して受信装置で受信して出力する無線通信システムであって、
前記送信装置は、特定音種の音情報である第１の音情報を送信する場合に、前記第１の音情報とともに、前記第１の音情報を特定する制御情報を送信し、
前記中継装置は、前記送信装置から前記制御情報を受信すると、該受信した制御情報を無線送信し、
前記受信装置は、記憶部を備え、予め前記第１の音情報を前記制御情報と対応付けて前記記憶部に記憶しておき、前記中継装置から前記制御情報を受信すると、該受信した制御情報に基づき前記記憶部から前記第１の音情報を読み出して音で出力することを特徴とする無線通信システム。
【００１６】
また、本願発明の代表的な他の構成は、次のとおりである。すなわち、
送信装置から無線送信された放送音を、受信装置で受信して出力する無線通信システムであって、
前記送信装置は、第１の音情報を特定する制御情報を送信可能であるとともに、該第１の音情報と異なる音種である第２の音情報を音声符号化して送信可能であり、
前記受信装置は、記憶部を備え、予め前記第１の音情報を前記制御情報と対応付けて前記記憶部に記憶しておき、前記送信装置から前記制御情報を受信すると、該受信した制御情報に基づき前記記憶部から前記第１の音情報を読み出して音で出力し、前記送信装置から前記第２の音情報を受信すると、該受信した第２の音情報を音声復号化して音で出力することを特徴とする無線通信システム。
【発明の効果】
【００１７】
上記構成によれば、受信装置の音声復号化方式が特定音の再生に適していない場合においても、送信装置からの特定音を、受信装置において適切な音で出力することができる。
【図面の簡単な説明】
【００１８】
【図１】第１実施形態における無線通信システムの構成図である。
【図２】第１実施形態における音声放送時の概略を示すである。
【図３】第１実施形態における音楽放送時の概略を示すである。
【図４】第１実施形態における音楽データ更新時の概略を示すである。
【図５】第１実施形態における同報系子局の構成図である。
【図６】第１実施形態における地区親局の構成図である。
【図７】第１実施形態における地区子局の構成図である。
【図８】第１実施形態における同報系システムで用いられるデジタル無線信号の構成例である。
【図９】第１実施形態における地区システムで用いられるデジタル無線信号（同期バースト）の構成例である。
【図１０】第１実施形態における地区システムで用いられるデジタル無線信号（通信チャネル）の構成例である。
【図１１】第１実施形態における音声放送時の通信制御シーケンスである。
【図１２】第１実施形態における音楽放送時の通信制御シーケンスである。
【図１３】第１実施形態における音声及び音楽放送時の通信制御シーケンスである。
【図１４】第１実施形態における音楽データ更新時の通信制御シーケンスである。
【図１５】第２実施形態における無線通信システム構成の一部を示す図である。
【図１６】第２実施形態における放送卓からの放送時の通信制御シーケンスである。
【図１７】第２実施形態における放送予約時の通信制御シーケンスである。
【図１８】第２実施形態における予約放送時の通信制御シーケンスである。
【図１９】背景技術における音声及び音楽放送時の概略を示すである。
【発明を実施するための形態】
【００１９】
（第１実施形態）
本発明の第１実施形態の無線通信システムについて、図１を参照しながら説明する。図１は、第１実施形態における無線通信システムの構成を示す図であり、例えば、同報系システム（同報系防災行政無線システム）と地区放送システム（地区放送無線システム）とが接続され連動されるように構成された無線通信システムの構成例を示す図である。
【００２０】
第１実施形態では、同報系システムの同報系親局１０（送信装置）から、同報系子局２０と地区親局４０を介して、地区放送システムの地区子局５０（受信装置）へ、音声や非音声の放送が行われる。同報系子局２０と地区親局４０は、送信装置から受信装置へ放送音を中継する中継装置として機能する。
【００２１】
第１実施形態の無線通信システムの構成の概要を説明する。
図１の無線通信システムにおいて、同報系システムの同報系親局１０に、同報系システムの同報系子局２０が、例えば６０ＭＨｚ帯のデジタル無線周波数信号により無線接続されている。例えば、このデジタル無線通信の変調方式は１６ＱＡＭ方式、音声符号化及び復号化方式はＳ−ＣＯＤＥＣである。図１では、同報系子局２０は１つ図示しているが、２つ以上とすることも可能である。
【００２２】
同報系親局１０は、第１の音声符号器（Ｓ−ＣＯＤＥＣ）を備え、音声情報や非音声情報を、第１の音声符号器（Ｓ−ＣＯＤＥＣ）で音声符号化し、同報系子局２０へデジタル無線により送信する。音声情報とは、人の声についての情報であり、音色や音階を含む情報である。非音声情報とは、人の声以外のサイレン音や警報音や音楽についての音色や音階や旋律を含む情報であり、第１実施形態では音楽情報である。また、同報系親局１０は、非音声情報を送信するときは、非音声情報とともに、該非音声情報を特定する制御情報を、同報系子局２０へデジタル無線により送信する。
【００２３】
同報系子局２０は、地区放送システムの放送卓３０と有線で接続されており、第１の音声符号器に対応する第１の音声復号器（Ｓ−ＣＯＤＥＣ）を備える。第１の音声復号器は、第１の音声符号器で符号化された音声情報や非音声情報を復号化するものである。同報系子局２０は、同報系親局１０から受信した音声情報や非音声情報を、第１の音声復号器（Ｓ−ＣＯＤＥＣ）で音声復号化した後、アナログ変換し、該アナログ変換したアナログオーディオ信号２７を、放送卓３０へ送信する。また、同報系子局２０は、非音声情報を送信する場合は、同報系親局１０から受信したデジタル制御情報を、制御信号（ａ）２８として放送卓３０へ送信する。制御信号（ａ）２８は、非音声情報を特定する制御情報を伝える信号である。
【００２４】
放送卓３０は、無線装置３９と有線で接続され、同報系子局２０から受信したアナログオーディオ信号２７を、第１の音声符号器と符号化方式が異なる第２の音声符号器（ＡＭＢＥ＋２）で音声符号化し、デジタル音声信号３７として無線装置３９へ送信する。また、放送卓３０は、同報系子局２０から受信した制御信号（ａ）２８を、制御信号（ｂ）３８として無線装置３９へ送信する。このように、放送卓３０は、第２の音声符号器（ＡＭＢＥ＋２）を備える。
放送卓３０と無線装置３９とを含むように、地区放送システムの地区親局４０が構成される。
【００２５】
無線装置３９は、地区子局５０と、例えば４００ＭＨｚ帯のデジタル無線で接続されている。このデジタル無線は、デジタル簡易無線通信であり、変調方式は４値ＦＳＫ方式である。
無線装置３９は、放送卓３０から受信したデジタル音声信号３７や制御信号（ｂ）３８を、４値ＦＳＫ方式で変調し、それぞれ、デジタル音声情報やデジタル制御情報として地区子局５０へ無線送信する。
【００２６】
地区子局５０は、第２の音声符号器に対応する第２の音声復号器（ＡＭＢＥ＋２）を備える。第２の音声復号器は、第２の音声符号器で符号化された音声情報や非音声情報を復号化するものである。地区子局５０は、無線装置３９からデジタル音声情報を受信した場合は、受信したデジタル音声情報を、第２の音声復号器（ＡＭＢＥ＋２）により音声復号化し、スピーカから出力する。また、地区子局５０は、無線装置３９からデジタル制御情報を受信した場合は、受信したデジタル制御情報に基づき、地区子局５０が記憶している非音声情報の中から、受信したデジタル制御情報に対応する非音声情報、例えば音楽情報を選択し、スピーカから出力する。
なお、１つの無線装置３９と無線接続される地区子局５０は、図１では１つだが、複数存在することができる。地区子局５０は、例えば、戸別受信機である。
【００２７】
次に、第１実施形態における音声放送時の概略を説明する。図２は、第１実施形態における音声放送時の概略を示す図である。
まず、同報系親局１０から、デジタル無線通信（変調方式は１６ＱＡＭ方式）を用いて、第１の音声符号器（Ｓ−ＣＯＤＥＣ）により音声符号化された音声情報が、同報系子局２０へ無線送信される。
【００２８】
同報系子局２０は、同報系親局１０から音声情報を受信すると、受信した音声情報を第１の音声復号器（Ｓ−ＣＯＤＥＣ）で音声復号化してアナログ変換し、該アナログ変換したアナログオーディオ信号２７を、地区親局４０へ有線で送信する。このとき、同報系子局２０において、上記アナログオーディオ信号２７を、同報系子局２０のスピーカから出力することが可能である。
【００２９】
地区親局４０は、同報系子局２０から受信したアナログオーディオ信号２７を、第２の音声符号器（ＡＭＢＥ＋２）により音声符号化し、４値ＦＳＫ方式で変調して、デジタル音声情報として地区子局５０へ無線送信する。このとき、地区親局４０において、上記アナログオーディオ信号２７を、地区親局４０のスピーカから出力することが可能である。
【００３０】
地区子局５０は、地区親局４０から受信したデジタル音声情報を、第２の音声復号器（ＡＭＢＥ＋２）により音声復号化し、地区子局５０のスピーカから出力する。
【００３１】
このように、送信装置である同報系親局１０から、中継装置である同報系子局２０と地区親局４０とを介して、受信装置である地区子局５０へ音声情報が無線送信される場合は、地区子局５０において、受信した音声情報を正常に放送すること、つまり、受信した非音声情報を適切な音で出力することが可能である。また、同報系子局２０と地区親局４０においても、受信した音声情報を正常に放送することが可能である。
【００３２】
次に、第１実施形態における非音声放送時、ここでは音楽放送時の概略を説明する。図３は、第１実施形態における音楽放送時の概略を示すである。
まず、同報系親局１０から、デジタル無線通信（変調方式は１６ＱＡＭ方式）を用いて、第１の音声符号器（Ｓ−ＣＯＤＥＣ）により音声符号化された音楽情報と、該音楽情報を特定する制御情報とが、同報系子局２０へ無線送信される。
【００３３】
同報系子局２０は、同報系親局１０から音楽情報を受信すると、受信した音楽情報を第１の音声復号器（Ｓ−ＣＯＤＥＣ）で復号化してアナログ変換し、該アナログ変換したアナログオーディオ信号２７を、地区親局４０へ有線で送信する。また、同報系子局２０は、同報系親局１０から音楽情報を特定する制御情報を受信すると、デジタル情報のまま、地区親局４０へ有線で送信する。このとき、同報系子局２０において、上記アナログオーディオ信号２７の音楽情報を、同報系子局２０のスピーカから出力することが可能である。
【００３４】
地区親局４０は、同報系子局２０から受信した制御情報を、４値ＦＳＫ方式で変調して、地区子局５０へデジタル無線送信する。同報系子局２０から受信したアナログオーディオ信号２７については、地区子局５０へ無線送信しない。これは、地区子局５０の第２の音声復号器（ＡＭＢＥ＋２）では、音楽情報を適切な音で出力できないためである。なお、地区親局４０において、上記アナログオーディオ信号２７を、地区親局４０のスピーカから出力することが可能である。
【００３５】
地区子局５０は、地区親局４０から受信した制御情報に基づき、地区子局５０が記憶している音楽情報の中から、上記制御情報に対応する音楽情報を選択し、地区子局５０のスピーカから出力する。
【００３６】
こうして、送信装置である同報系親局１０から、中継装置である同報系子局２０と地区親局４０とを介して、受信装置である地区子局５０へ非音声情報が無線送信される場合においても、地区子局５０において、受信した非音声情報を適切な音で出力することが可能である。また、同報系子局２０と地区親局４０においても、受信した非音声情報を適切な音で出力することが可能である。
【００３７】
上述したように、本実施形態では、地区子局５０に音楽情報のデータを予め格納しておく必要がある。この場合、同報系親局１０から放送する音楽の種類は、地区子局５０に格納された音楽の種類で制限される。また、地区子局５０は多数存在するため、個別に音楽データの登録や更新を行うことは大変である。したがって、次に示すように、同報系親局１０からデータ通信により地区子局５０の音楽情報データを登録又は更新することが好ましい。
【００３８】
第１実施形態における音楽データ更新時の概略を説明する。図４は、第１実施形態における音楽データ更新時の概略を示すである。
まず、同報系親局１０から、デジタル無線通信（変調方式は１６ＱＡＭ方式）により、音楽データが、同報系子局２０へ無線送信される。この音楽データは、音楽情報と該音楽情報を特定する識別子とを含む。
同報系子局２０は、同報系親局１０から音楽データを受信すると、受信した音楽データを、デジタル信号のまま、地区親局４０へ有線で送信する。
【００３９】
地区親局４０は、同報系子局２０から受信した音楽データを、４値ＦＳＫ方式で変調して、デジタル信号として地区子局５０へ無線送信する。
地区子局５０は、地区親局４０から受信した音楽データを、地区子局５０の記憶部に記憶する。
【００４０】
こうして、送信装置である同報系親局１０から、中継装置である同報系子局２０と地区親局４０とを介して、データ通信により音楽データを送信し、受信装置である地区子局５０に音楽データを登録又は更新することができる。
【００４１】
第１実施形態の無線通信システムの構成の詳細を、図５ないし図１０を用いて説明する。まず、第１実施形態における同報系子局２０について、図５を用いて説明する。図５は、第１実施形態における同報系子局２０の構成図である。同報系子局２０は、第１実施形態では、例えば、屋外に設けられ、スピーカを備える屋外拡声子局である。
【００４２】
図５に示すように、第１実施形態の同報系子局２０は、子局無線部２３、子局制御部２１、子局記憶部２２、子局増幅部２５、トランペットスピーカ２６等の各構成部を備える。子局無線部２３は、同報系親局１０との間でアンテナ２４を介してデジタル音声情報やデジタル制御情報等の情報を無線送受信するもので、同報系親局１０から受信した音声情報や非音声情報や制御情報を復調する。子局制御部２１は、同報系子局２０を構成する各構成部を制御する。
【００４３】
子局無線部２３が同報系親局１０から受信する信号のフォーマットは、例えば図８に示すフォーマットである。図８は、第１実施形態における同報系システムで用いられるデジタル無線信号の構成例である。
図８のデジタル信号は、信号の先頭から順に、３０ビット以上のビット同期信号、３１ビットのフレーム同期信号、４１６ビットのデータ信号で構成されている。ビット同期信号は０１の繰り返し信号であり、フレーム同期信号は４ビットのキャラクタパターンで構成され、いずれも受信側で同期を取るための同期信号である。
【００４４】
データ信号には、通信内容である通信内容情報（音声情報や非音声情報や制御情報）と、この通信内容情報の宛先を特定するための識別子としてのアドレス情報とが含まれる。音声の通信内容情報は、例えば親局装置１０のマイクから入力された音声信号がデジタル情報に変換されたものである。
【００４５】
子局記憶部２２は、当該同報系子局２０を特定する識別子である自局アドレスを記憶している。
同報系親局１０から受信した通信内容情報が、同報系子局２０と当該同報系子局２０に放送卓３０を介して接続された地区子局５０とを宛先とする場合、つまり、同報系親局１０から受信した通信内容情報の宛先アドレスが、子局記憶部２２に記憶された自局アドレスと上記地区子局５０のアドレスとを含む場合は、子局制御部２１は次の（ａ）、（ｂ）のように動作する。子局制御部２１は、第１の音声復号器（Ｓ−ＣＯＤＥＣ）を備える。
【００４６】
（ａ）子局無線部２３で音声情報を受信した場合は、子局制御部２１は、該受信した音声情報を第１の音声復号器（Ｓ−ＣＯＤＥＣ）で音声復号化した後、アナログオーディオ信号へ変換し、子局増幅部２５でアナログオーディオ信号を増幅させ、トランペットスピーカ２６から拡声放送させる。同時に、子局制御部２１で変換され生成されたアナログオーディオ信号は、アナログオーディオ信号２７として、放送卓３０へ出力される。
【００４７】
（ｂ）子局無線部２３で非音声情報である音楽情報と該音楽情報を特定する制御情報とを受信した場合は、子局制御部２１は、該受信した音楽情報を第１の音声復号器（Ｓ−ＣＯＤＥＣ）で音声復号化した後、アナログオーディオ信号へ変換し、子局増幅部２５でアナログオーディオ信号を増幅させ、トランペットスピーカ２６から拡声放送させる。同時に、子局制御部２１で生成されたアナログオーディオ信号は、アナログオーディオ信号２７として、放送卓３０へ出力される。また、上記受信した制御情報は、制御信号（ａ）２８として、放送卓３０へ出力される。
【００４８】
同報系親局１０から受信したアドレス情報が自局宛のものでなく、かつ、当該同報系子局２０に接続された放送卓３０が含まれる地区放送システムに属するいずれかの子局のアドレスである場合は、子局制御部２１は次の（ｃ）、（ｄ）のように動作する。
【００４９】
（ｃ）子局無線部２３で音声情報を受信した場合は、子局制御部２１は、該受信した音声情報を第１の音声復号器（Ｓ−ＣＯＤＥＣ）で音声復号化した後、アナログオーディオ信号へ変換するが、子局増幅部２５に対し増幅停止信号を送信し、子局増幅部２５の増幅処理を停止させ、トランペットスピーカ２６から拡声放送させないようにする。このとき、子局制御部２１で生成されたアナログオーディオ信号は、アナログオーディオ信号２７として、放送卓３０へ出力される。
【００５０】
（ｄ）子局無線部２３で非音声情報である音楽情報と該音楽情報を特定する制御情報とを受信した場合は、子局制御部２１は、該受信した音楽情報を第１の音声復号器（Ｓ−ＣＯＤＥＣ）で音声復号化した後、アナログオーディオ信号へ変換するが、子局増幅部２５に対し増幅停止信号を送信し、子局増幅部２５の増幅処理を停止させ、トランペットスピーカ２６から拡声放送させないようにする。このとき、子局制御部２１で生成されたアナログオーディオ信号は、アナログオーディオ信号２７として、放送卓３０へ出力される。また、上記受信した制御情報は、制御信号（ａ）２８として、放送卓３０へ出力される。
【００５１】
同報系親局１０から受信したアドレス情報が自局宛のものでなく、かつ、当該同報系子局２０に接続された放送卓３０が含まれる地区放送システムに属するいずれかの子局のアドレスでもない場合は、子局制御部２１は次の（ｅ）のように動作する。
【００５２】
（ｅ）子局制御部２１は、子局無線部２３で受信した音声情報や非音声情報を第１の音声復号器（Ｓ−ＣＯＤＥＣ）で音声復号化する処理を行わず、アナログ音声信号へ変換する処理を行わない。さらに、子局制御部２１は、子局増幅部２５に対し増幅停止信号を送信し、子局増幅部２５の増幅処理を停止させる。当然、アナログ音声信号（ａ）２７は、放送卓３０へ送信されない。また、子局無線部２３で受信した音楽情報を特定する制御情報は、放送卓３０へ送信されない。
【００５３】
次に、第１実施形態における地区放送システムの親局（地区親局）について、図６を用いて説明する。図６は、第１実施形態における地区親局の構成図である。地区親局４０は、放送卓３０と無線装置３９とを備えるように構成される。
【００５４】
図６に示すように、第１実施形態の放送卓３０は、音声入力を受け付けるマイク３３、音声出力を行うスピーカ３４、操作者からの操作や各種入力を受付け、また、各種情報を表示する操作表示部３５、放送卓制御部３１、放送卓記憶部３２等の各構成部を備え、無線装置３９に有線で接続されている。
【００５５】
放送卓記憶部３２は、当該放送卓３０の配下の全ての子局、つまり、当該放送卓３０が含まれる地区放送システムに属する全ての子局、図１の例では全ての地区子局５０のアドレスを記憶している。
【００５６】
また、放送卓記憶部３２は、同報系子局２０から受信したアナログオーディオ信号２７を、放送卓制御部３１の指示に従って、音声情報として記憶するバッファとして機能させてもよい。例えば、同報系子局２０からアナログオーディオ信号を受け取ってから無線装置３９が音声情報を送信するまでの間に時間を要する場合には、放送卓記憶部３２が一時保存用のバッファとして機能する。
【００５７】
また、放送卓記憶部３２は、放送卓３０において予約放送を行う場合に使用される。つまり、操作者が操作表示部３５から放送時刻を設定してマイク３３から録音した音声を記憶しておく。この場合、放送卓制御部３１は、予約時刻になると、放送卓記憶部３２に記憶された音声情報を無線装置３９へ送信する。その際に、この音声情報は、デジタル音声信号３７として、無線装置３９へ送信され、無線装置３９から地区子局５０へ送信され、地区子局５０で音声出力される。
【００５８】
このとき、無線装置３９から送信される信号のフォーマットは、例えば、デジタル簡易無線局の無線設備標準規格である ARIB STD−T98 1.2版の４値ＦＳＫ方式の通信制御方式の信号フォーマットとなる。図９は、第１実施形態における地区システムで用いられるデジタル無線信号（同期バースト）の構成例である。図１０は、第１実施形態における地区システムで用いられるデジタル無線信号（通信チャネル）の構成例である。
【００５９】
無線装置３９から地区子局５０へ送信される信号の無線チャネルには、通信チャネル（ＳＣ：Service Channel）と同期バースト（ＳＢ０：Synchronous Burst0）が含まれる。
同期バーストは、受信側で同期をとるためのものであり、割り当てられた無線チャネルにおける通信時において、通信チャネルの前に送信するバーストデータである。図９に示すように、同期バーストは、プリアンブル（Ｐ）、同期ワード（ＳＷ）、無線情報チャネル（ＲＩＣＨ）、低速付随制御チャネル（ＳＡＣＣＨ）、パラメータ情報チャネル（ＰＩＣＨ）を含むように、４０８ビット以上で構成される。
【００６０】
通信チャネルは、ユーザが通信のために使用する双方向チャネルであり、図１０に示すように、ＳＷ、無線情報チャネル（ＲＩＣＨ）、低速付随制御チャネル（ＳＡＣＣＨ）、トラヒックチャネル（ＴＣＨ）を含むように、３８４ビットで構成される。ＴＣＨは、それぞれ１４４ビットのＴＣＨ１、ＴＣＨ２に分けられる。
【００６１】
放送卓制御部３１は、マイク３３、スピーカ３４、操作表示部３５等の、放送卓３０を構成する各構成部を制御する。さらに、放送卓制御部３１は、同報系子局２０から受信した音声情報や非音声情報等の情報を解析して、該受信した情報に含まれるアドレス情報を抽出し、配下の子局のアドレスが含まれるか否かを判定する処理を行う。また、放送卓制御部３１は、第２の音声符号器（ＡＭＢＥ＋２）を備える。
【００６２】
同報系子局２０から受信した情報に配下の子局のアドレスが含まれている場合は、放送卓制御部３１は、次の（ｆ）、（ｇ）のように動作する。
（ｆ）同報系子局２０から受信したアナログオーディオ信号２７が音声情報である場合は、放送卓制御部３１は、アナログオーディオ信号２７を、スピーカ３４から音で出力するとともに、第２の音声符号器（ＡＭＢＥ＋２）で音声符号化して、デジタル音声信号３７として無線装置３９へ送信する。
（ｇ）同報系子局２０から受信したアナログオーディオ信号２７が音楽情報である場合は、放送卓制御部３１は、アナログオーディオ信号２７をスピーカ３４から音で出力するとともに、アナログオーディオ信号２７を音声符号化せず、デジタル音声信号３７を送信しない。そして、放送卓制御部３１は、音楽情報を特定する制御信号（ａ）２８を、制御信号（ｂ）３８として、無線装置３９へ送信する。
【００６３】
同報系子局２０から受信した情報に配下の子局のアドレスが含まれていない場合は、放送卓制御部３１は、同報系子局２０から受信したアナログオーディオ信号２７を、スピーカ３４から音で出力せず、音声符号化せず、デジタル音声信号３７を送信しない。また、放送卓制御部３１は、同報系子局２０から受信した制御信号（ａ）２８、つまり制御信号（ｂ）３８を、無線装置３９へ送信しない。
【００６４】
無線装置３９は、放送卓３０から、デジタル音声信号３７や制御信号（ｂ）３８を受信すると、４値ＦＳＫ方式で変調して、地区子局５０へデジタル無線送信する。
【００６５】
次に、第１実施形態における地区放送システムの子局を構成する地区子局について、図７を用いて説明する。図７は、第１実施形態における地区子局の構成図である。
図７に示すように、地区子局５０は、地区子局制御部５１と、地区子局記憶部５２と、送信部５３と、受信部５４と、送受信を切換える切換スイッチ５５と、アンテナ５５ａと、操作表示部５７と、マイク５８と、スピーカ５９とを備える。
【００６６】
記憶部５２には、非音声データ記憶部５２ａが設けられている。非音声データ記憶部５２ａには、１種類以上の非音声データ（第１実施形態では音楽データ）が記憶されている。非音声データは、音楽情報等の非音声情報と、当該非音声情報を特定する識別子とを含むものである。
【００６７】
送信部５３は、地区子局制御部５１から出力されたベースバンド信号を無線周波数信号に変換し、４値ＦＳＫで変調した後、アンテナ５５ａを介して地区親局４０へ無線送信を行う。受信部５４は、アンテナ５５ａを介して地区親局４０から無線周波数信号を受信し、復調した後、ベースバンド信号に変換して地区子局制御部５１へ出力する。切換スイッチ５５は、地区子局制御部５１の指示に基づき、送信部５３又は受信部５４とアンテナ５５ａとを接続する。
【００６８】
地区子局制御部５１は、地区子局５０を構成する上記各構成部や、地区子局５０全体を制御するもので、マイク５８から出力された音声信号をベースバンド信号に変換して送信部５３へ出力する。地区子局制御部５１は、第２の音声復号器（ＡＭＢＥ＋２）を備える。
【００６９】
また、地区子局制御部５１は、地区親局４０から受信した情報に含まれるアドレスが自局のアドレスを含む場合は、次の（ｈ）、（ｋ）のように動作する。
（ｈ）地区親局４０から音声情報を受信した場合は、地区子局制御部５１は、該音声情報を第２の音声復号器（ＡＭＢＥ＋２）で音声復号化してスピーカ５９へ出力する。
（ｋ）地区親局４０から音楽情報を特定する制御情報を受信した場合は、地区子局制御部５１は、該制御情報と対応する音楽情報を記憶部５２から読み出し、スピーカ５９へ出力する。
【００７０】
また、地区子局制御部５１は、地区親局４０から音楽データ（音楽情報と該音楽情報を特定する識別子）を受信した場合は、該受信した音楽データを記憶部５２に記憶させる。
【００７１】
同報系親局１０、子局制御部２１、放送卓制御部３１、地区子局制御部５１は、それぞれ、ハードウエア構成としては、ＣＰＵ（Central Processing Unit）と当該親局や制御部の動作プログラム等を格納するメモリを備えており、ＣＰＵは、この動作プログラムに従って動作する。
また、子局記憶部２２、放送卓記憶部３２、地区子局記憶部５２は、半導体メモリやハードディスク装置等により構成することができる。
【００７２】
次に、図２で説明した音声放送時における地区親局から地区子局までの、通信制御シーケンスについて、詳しく説明する。図１１は、第１実施形態の音声放送時における地区親局から地区子局までの通信制御シーケンスである。
【００７３】
図１１に示すように、地区親局４０は、同一内容の同期バーストＳＢ０を、所定回数繰り返し送信する（図１１のステップＳ１）。同期バーストＳＢ０のＲＩＣＨには、この送信情報が同期バーストであることを示す情報、ＳＡＣＣＨには送信元を示す送信元情報が含まれている。送信元情報は、具体的には、ＳＡＣＣＨに含まれるユーザーコードと製造者番号ある。
【００７４】
なお、地区親局４０が、同期バーストＳＢ０を同じ内容で所定回数繰り返し送信する理由は、地区子局５０が同期バーストＳＢ０の受信を１回程度失敗したとしても、目的の情報を受信できるようにするためである。
【００７５】
地区子局５０は、同期バーストＳＢ０を受信すると、ＳＷで同期検出を行い、ＳＡＣＣＨ内の送信元情報に基づき、期待している地区親局４０、つまり地区子局５０が接続されている地区親局４０からの送信信号か否かを判別する。接続されている地区親局４０からの送信信号である場合は、同期を維持し、そうでない場合は、同期を破棄する。
【００７６】
次に、地区親局４０は、放送種別を伝達するための通信チャネルＳＣを、所定回数繰り返し送信する（ステップＳ２）。具体的には、放送種別のＴＣＨの情報量は多いので、４つの通信チャネルＳＣに分割して送信する。この４つの分割送信を１組として、この１組を３回送信する。放送種別の通信チャネルＳＣのＲＩＣＨには、ＴＣＨ（ＴＣＨ１及び２）が非音声データであるとの情報、ＳＡＣＣＨには送信元情報、ＴＣＨ（ＴＣＨ１及び２）には、この送信情報の宛先情報が含まれている。宛先情報は、具体的には、ＴＣＨに含まれるセルコールの情報である。送信元情報は、前述したように、ＳＡＣＣＨに含まれるユーザーコードと製造者番号ある。
【００７７】
地区子局５０は、放送種別の通信チャネルＳＣを受信すると、ＳＷで同期検出を行い、ＳＡＣＣＨ内の送信元情報に基づき、地区子局５０が接続されている地区親局４０からの送信信号か否かを判別する。接続されている地区親局４０からの送信信号である場合、地区子局５０は、ＴＣＨ（ＴＣＨ１及び２）の宛先情報に基づき、自局宛の放送情報かを判別する。自局宛の場合、以降に送信されてくる情報を有効データとして処理する。
【００７８】
次に、地区親局４０は、音声通話のための通信チャネルＳＣを、複数回数送信する（ステップＳ３）。音声通話のＴＣＨの情報量は多いので、複数の通信チャネルＳＣに分割して、それぞれ１回だけ送信する。ＲＩＣＨには、ＴＣＨ（ＴＣＨ１及び２）が音声データであるとの情報、ＴＣＨ（ＴＣＨ１及び２）には、ＡＭＢＥ＋２で音声符号化処理された音声データの情報が含まれている。
【００７９】
地区子局５０は、音声通話の通信チャネルＳＣを受信すると、ＳＷで同期検出を行い、ＳＡＣＣＨ内の送信元情報に基づき、地区子局５０が接続されている地区親局４０からの送信信号か否かを判別する。接続されている地区親局４０からの送信信号である場合、地区子局５０は、通信チャネルＳＣのＲＩＣＨに基づき、ＴＣＨ（ＴＣＨ１及び２）が音声情報であると判別し、ＴＣＨ（ＴＣＨ１及び２）中の音声符号化処理された音声情報を、ＡＭＢＥ＋２で復号化し、音声信号としてスピーカ５９から出力する。
【００８０】
音声通話が終了した場合、地区親局４０は、終話指示のための通信チャネルＳＣを、同一内容で所定回数繰り返し送信する（ステップＳ４）。通信チャネルＳＣのＲＩＣＨには、ＴＣＨに有効な情報がないことを示すアイドル情報、ＳＡＣＣＨには、送信元情報と終話を指示する終話指示情報とが含まれている。
【００８１】
地区子局５０は、終話指示の通信チャネルＳＣを受信すると、ＳＷで同期検出を行い、ＳＡＣＣＨ内の送信元情報に基づき、地区子局５０が接続されている地区親局４０からの送信信号か否かを判別する。接続されている地区親局４０からの送信信号である場合、地区子局５０は、ＳＡＣＣＨの終話指示情報に基づき、通信の終話処理を行う。
【００８２】
次に、図３で説明した非音声（音楽）放送時における地区親局から地区子局までの、通信制御シーケンスについて、詳しく説明する。図１２は、第１実施形態の音楽放送時における地区親局から地区子局までの通信制御シーケンスである。
【００８３】
図１２に示すように、地区親局４０は、同じ内容の同期バーストＳＢ０を、所定回数繰り返し送信する（図１２のステップＳ１１）。同期バーストＳＢ０の含む情報は、図１１のステップＳ１での説明と同様である。
地区子局５０は、同期バーストＳＢ０を受信すると、図１１のステップＳ１に対する処理と同様の処理を行う。
【００８４】
次に、地区親局４０は、放送種別を伝達するための通信チャネルＳＣを、所定回数繰り返し送信する（ステップＳ１２）。この通信チャネルＳＣの含む情報は、図１１のステップＳ２での説明と同様である。
地区子局５０は、放送種別の通信チャネルＳＣを受信すると、図１１のステップＳ２に対する処理と同様の処理を行う。つまり、自局宛の放送情報かを判別する。自局宛の場合、以降に送信されてくる情報を有効データとして処理する。
【００８５】
次に、地区親局４０は、非音声通信のための通信チャネルＳＣ、つまり、音楽情報を指定する制御情報である音楽指定情報を送信するための通信チャネルＳＣを、所定回数繰り返し送信する（ステップＳ１３）。ＲＩＣＨには、ＴＣＨ（ＴＣＨ１及び２）が非音声情報であるとの情報、ＴＣＨ（ＴＣＨ１及び２）には、音楽情報を指定する音楽指定情報（音楽情報を特定する識別子）が含まれている。
【００８６】
地区子局５０は、非音声通信の通信チャネルＳＣを受信すると、ＳＷで同期検出を行い、ＳＡＣＣＨ内の送信元情報に基づき、地区子局５０が接続されている地区親局４０からの送信信号か否かを判別する。接続されている地区親局４０からの送信信号である場合、地区子局５０は、非音声通信の通信チャネルＳＣのＴＣＨ（ＴＣＨ１及び２）の音楽指定情報で指定された音楽情報を、地区子局記憶部５２から読み出し、スピーカ５９から出力する。
【００８７】
音楽情報送信が終了した場合、地区親局４０は、終話指示のための通信チャネルＳＣを、所定回数繰り返し送信する（ステップＳ１４）。終話指示の通信チャネルＳＣの含む情報は、図１１のステップＳ４での説明と同様である。
地区子局５０は、終話指示の通信チャネルＳＣを受信すると、図１１のステップＳ４に対する処理と同様の処理を行う。
【００８８】
次に、同一放送で音声と非音声（音楽）放送を行う場合における地区親局から地区子局までの、通信制御シーケンスについて、詳しく説明する。図１３は、第１実施形態における音声及び音楽放送時の通信制御シーケンスである。
【００８９】
図１３に示すように、地区親局４０は、同期バーストＳＢ０を、所定回数繰り返し送信する（図１３のステップＳ２１）。同期バーストＳＢ０の含む情報は、図１１のステップＳ１での説明と同様である。
地区子局５０は、同期バーストＳＢ０を受信すると、図１１のステップＳ１に対する処理と同様の処理を行う。
【００９０】
次に、地区親局４０は、放送種別の通信チャネルＳＣを、所定回数繰り返し送信する（ステップＳ２２）。放送種別の通信チャネルＳＣの含む情報は、図１１のステップＳ２での説明と同様である。
地区子局５０は、放送種別の通信チャネルＳＣを受信すると、図１１のステップＳ２に対する処理と同様の処理を行う。
【００９１】
次に、地区親局４０は、音声通話のための通信チャネルＳＣを、所定回数繰り返し送信する（ステップＳ２３）。音声通話の通信チャネルＳＣの含む情報は、図１１のステップＳ３での説明と同様である。
地区子局５０は、音声通話の通信チャネルＳＣを受信すると、図１１のステップＳ３に対する処理と同様の処理を行う。
【００９２】
次に、地区親局４０は、非音声通信のための通信チャネルＳＣ、つまり、音楽情報を指定する音楽指定情報送信のための通信チャネルＳＣを、所定回数繰り返し送信する（ステップＳ２４）。非音声通信の通信チャネルＳＣの含む情報は、図１２のステップＳ１３での説明と同様である。
地区子局５０は、非音声通信の通信チャネルＳＣを受信すると、図１２のステップＳ１３に対する処理と同様の処理を行う。
【００９３】
次に、地区親局４０は、音声通話のための通信チャネルＳＣを、所定回数繰り返し送信する（ステップＳ２５）。音声通話の通信チャネルＳＣの含む情報は、図１１のステップＳ３での説明と同様である。
地区子局５０は、音声通話の通信チャネルＳＣを受信すると、図１１のステップＳ３に対する処理と同様の処理を行う。
【００９４】
次に、地区親局４０は、非音声通信のための通信チャネルＳＣ、つまり、音楽情報を指定する音楽指定情報送信のための通信チャネルＳＣを、所定回数繰り返し送信する（ステップＳ２６）。非音声通信の通信チャネルＳＣの含む情報は、図１２のステップＳ１３での説明と同様である。
地区子局５０は、非音声通信の通信チャネルＳＣを受信すると、図１２のステップＳ１３に対する処理と同様の処理を行う。
【００９５】
音声情報及び音楽情報の送信が終了した場合、地区親局４０は、終話指示のための通信チャネルＳＣを、所定回数繰り返し送信する（ステップＳ２７）。終話指示の通信チャネルＳＣの含む情報は、図１１のステップＳ４での説明と同様である。
地区子局５０は、終話指示の通信チャネルＳＣを受信すると、図１１のステップＳ４に対する処理と同様の処理を行う。
【００９６】
このようにして、地区親局側からの音声通話と非音声通信を切り替えて送信することにより、地区子局側も音声と音楽をそれぞれ出力することができる。
【００９７】
次に、音楽データを地区子局に格納させる場合における地区親局から地区子局までの、通信制御シーケンスについて、詳しく説明する。図１４は、第１実施形態における音楽データ更新時の通信制御シーケンスである。
【００９８】
図１４に示すように、地区親局４０は、同期バーストＳＢ０を、所定回数繰り返し送信する（図１４のステップＳ３１）。同期バーストＳＢ０の含む情報は、図１１のステップＳ１での説明と同様である。
地区子局５０は、同期バーストＳＢ０を受信すると、図１１のステップＳ１に対する処理と同様の処理を行う。
【００９９】
次に、地区親局４０は、放送種別を伝達するための通信チャネルＳＣを、所定回数繰り返し送信する（ステップＳ３２）。放送種別の通信チャネルＳＣの含む情報は、図１１のステップＳ２での説明と同様である。
地区子局５０は、放送種別の通信チャネルＳＣを受信すると、図１１のステップＳ２に対する処理と同様の処理を行う。
【０１００】
次に、地区親局４０は、音楽データ更新開始を指示する音楽データ更新開始指示情報送信のための通信チャネルＳＣを、所定回数繰り返し送信する（ステップＳ３３）。音楽データ更新開始指示の通信チャネルＳＣの含む情報は、ＴＣＨ以外は、図１２のステップＳ１３での説明と同様である。ＴＣＨには、音楽データ更新開始を指示する音楽データ更新開始指示情報が含まれる。
【０１０１】
地区子局５０は、音楽データ更新開始指示の通信チャネルＳＣを受信すると、ＳＷで同期検出を行い、ＳＡＣＣＨ内の送信元情報に基づき、地区子局５０が接続されている地区親局４０からの送信信号か否かを判別する。接続されている地区親局４０からの送信信号である場合、地区子局５０は、ＴＣＨ（ＴＣＨ１及び２）の音楽データ更新開始指示情報に基づき、音楽データ更新が開始されることを認識する。
【０１０２】
次に、地区親局４０は、更新用の音楽データの情報送信のための通信チャネルＳＣを、所定回数繰り返し送信する（ステップＳ３４）。更新用音楽データの通信チャネルＳＣの含む情報は、ＴＣＨ以外は、ステップＳ３３での説明と同様である。ＴＣＨには、更新用の音楽データ情報が含まれる。
【０１０３】
地区子局５０は、更新用音楽データの通信チャネルＳＣを受信すると、ＳＷで同期検出を行い、ＳＡＣＣＨ内の送信元情報に基づき、地区子局５０が接続されている地区親局４０からの送信信号か否かを判別する。接続されている地区親局４０からの送信信号である場合、地区子局５０は、ＴＣＨ（ＴＣＨ１及び２）の更新用の音楽データ情報を、地区子局記憶部５２のバッファ部に一時的に格納する。
【０１０４】
次に、地区親局４０は、音楽データ更新終了を指示する音楽データ更新終了指示情報送信のための通信チャネルＳＣを、所定回数繰り返し送信する（ステップＳ３５）。音楽データ更新終了指示の通信チャネルＳＣの含む情報は、ＴＣＨ以外は、ステップＳ３３での説明と同様である。ＴＣＨには、音楽データ更新終了を指示する音楽データ更新終了指示情報が含まれる。
【０１０５】
地区子局５０は、音楽データ更新終了指示の通信チャネルＳＣを受信すると、ＳＷで同期検出を行い、ＳＡＣＣＨ内の送信元情報に基づき、地区子局５０が接続されている地区親局４０からの送信信号か否かを判別する。接続されている地区親局４０からの送信信号である場合、地区子局５０は、ＴＣＨ（ＴＣＨ１及び２）の音楽データ更新終了指示情報に基づき、音楽データ更新が終了することを認識し、地区子局記憶部５２のバッファ部に一時的に格納した音楽データ情報を、非音声データ記憶部５２ａに格納する。
【０１０６】
音楽データ情報の送信が終了すると、地区親局４０は、終話指示のための通信チャネルＳＣを、所定回数繰り返し送信する（ステップＳ３６）。終話指示の通信チャネルＳＣの含む情報は、図１１のステップＳ４での説明と同様である。
地区子局５０は、終話指示の通信チャネルＳＣを受信すると、図１１のステップＳ４に対する処理と同様の処理を行う。
【０１０７】
なお、上述の第１実施形態では、放送種別のＴＣＨに含まれるセルコール信号を受信し、宛先情報を含むセルコール信号により、自局宛の放送か否かの判別を行っていた。したがって、放送種別を受信できないと、宛先情報（セルコール信号）が受信できないため、自局宛の放送か否かを判別することができない。すなわち、何らかの受信不良により放送種別を受信できない場合や、放送途中から地区子局５０の電源を入れた場合、途中からの放送内容をスピーカ５９から出力することができない。
【０１０８】
この問題を解決するために、音声通信や非音声通信の通信チャネルＳＣのＳＡＣＣＨに含まれる製造者定義形式に、宛先情報（セルコール信号）を付加するように構成してもよい。こうすると、放送種別の通信チャネルＳＣを受信できない場合でも、宛先情報を受信することができるため、途中からの放送内容をスピーカ５９から出力することができる。ただし、ＳＡＣＣＨの領域はＴＣＨの領域よりもデータ容量が小さいため、セルコール信号を複数の通信チャネルＳＣに跨って入れることになる。そのため、音声通信や非音声通信の通信チャネルＳＣでセルコール信号を受信するための時間は、放送種別の通信チャネルＳＣで受信するための時間よりも長い時間が必要となる。
【０１０９】
また、上述の第１実施形態では、同報系子局と地区親局とを有線により接続したが、無線により接続するよう構成することも可能である。
また、上述の第１実施形態では、同報系子局と地区親局が音出力機能を持つように構成したが、同報系子局と地区親局のいずれかが音出力機能を持たない構成、又は、両方が音出力機能を持たない構成とすることも可能である。
【０１１０】
また、上述の第１実施形態では、同報系子局と地区親局と地区子局は、それぞれ、スピーカによる音出力機能を持つ構成としたが、イヤホン等による音出力機能を持つ構成とすることも可能である。
【０１１１】
また、上述の第１実施形態では、地区親局が地区子局に対し非音声情報を送信する場合、同報系子局から受信した制御情報を無線送信し、アナログオーディオ信号を無線送信しないように構成したが、制御情報とアナログオーディオ信号を無線送信するように構成することも可能である。このように構成した場合は、地区子局において制御情報を受信したときは、アナログオーディオ信号を受信しないか、又は無視するようにする。
【０１１２】
また、上述の第１実施形態では、同報系防災行政無線システムと地区放送無線システムとが接続される無線通信システムを例にあげて説明したが、互いに接続される２つの無線通信システムは、同報系防災行政無線システムや地区放送無線システムに限られるものではなく、本発明は様々な無線通信システムに適用できることは言うまでもない。要するに、第１実施形態の無線通信システムは、送信装置が中継装置を介して受信装置へ音声情報や非音声情報を送信し、受信装置が音声情報や非音声情報を受信して音で出力するものであればよい。
【０１１３】
また、上述の第１実施形態では、同報系親局（送信装置）が同報系子局を介して地区親局へ、非音声情報と非音声情報を特定する制御情報とを送信、又は、音声情報を送信し、地区親局が地区子局（受信装置）へ、制御情報又は音声情報を送信し、地区子局が制御情報又は音声情報を受信して音で出力するように構成したが、本発明は、音声情報と非音声情報に限られるものではない。すなわち、同報系親局（送信装置）が同報系子局を介して地区親局へ、特定音種の音情報である第１の音情報と第１の音情報を特定する制御情報とを送信、又は、第１の音情報と異なる音種である第２の音情報を送信し、地区親局が地区子局（受信装置）へ、制御情報又は第２の音情報を送信し、地区子局が制御情報又は第２の音情報を受信して音で出力する場合に、本発明を適用することも可能である。
【０１１４】
第１実施形態によれば、少なくとも次の効果を得ることができる。
（Ａ１）予め地区子局５０が非音声情報を制御情報と対応付けて記憶しておき、同報系親局１０が中継装置（同報系子局２０と地区親局４０）を介して地区子局５０へ制御情報を送信し、地区子局５０は、受信した制御情報に基づき非音声情報を音で出力するように構成したので、同報系親局１０で音声符号化された非音声情報が、地区子局５０において適切に音声復号化されない場合においても、地区子局５０において制御情報に基づき非音声情報を適切な音で出力することができる。
（Ａ２）第１の無線通信システムの第１の親局（同報系親局１０）からの第１の音声符号化された音声情報を、第１の子局（同報系子局２０）で音声復号化しアナログ信号に変換して、第２の無線通信システムの第２の親局（地区親局４０）へ送信し、該アナログ信号を第２の親局で第２の音声符号化して第２の子局（地区子局５０）へ送信するように構成したので、第１の無線通信システムと第２の無線通信システムの音声符号化／復号化方式が異なる場合においても、第１の親局から送信した音声情報を、第２の子局において適切な音で出力することができる。
（Ａ３）非音声情報を送信する場合は、第１の無線通信システムの第１の親局から、第１の子局を介して、第２の無線通信システムの第２の親局へ、非音声情報と制御情報を送信し、第２の親局から第２の子局へ制御情報を送信するように構成し、音声情報を送信する場合は、第１の親局から、第１の子局と第２の親局を介して、音声情報を送信するように構成したので、第１の親局から送信した非音声情報と音声情報を、第２の子局において適切な音で出力することができる。
（Ａ４）同報系親局１０が中継装置（同報系子局２０と地区親局４０）を介して地区子局５０へ音楽データ等の非音声データ情報を送信し、地区子局５０が非音声データ情報を記憶するように構成したので、同報系親局１０から地区子局５０が保存する非音声情報を登録や更新することができる。
【０１１５】
第１実施形態では、同報系親局１０から放送音を送信し、同報系子局２０、地区親局４０を経由し、地区子局５０で受信する構成としているが、同報系親局１０や同報系子局２０が無いシステム、すなわち地区親局４０から放送音を送信し、地区子局５０で受信する構成とすることも可能である。この構成を、第２実施形態で説明する。
【０１１６】
（第２実施形態）
本発明の第２実施形態の無線通信システムの構成について説明する。図１５は、第２実施形態における無線通信システムの構成の一部を説明する図である。図１５に示すように、第２実施形態では、地区放送システムは、同報系システムと接続されてなく、代わりに、遠隔操作装置７１がＬＡＮ（Local Area Network）等のネットワーク７４により接続されている。遠隔操作装置７１には、公衆網７２を介して電話機７３が接続されている。また、第１実施形態の無線装置３９の代わりに、基地局７５が放送卓制御部３１に接続されている。基地局７５と地区子局（ここでは戸別受信機）５０間の通信は、第１実施形態と同様にデジタル簡易無線通信となっており、変調方式は４値ＦＳＫ方式、音声符号化及び復号化方式はＡＭＢＥ＋２である。
【０１１７】
このように、第２実施形態の無線通信システムは、放送卓３０、基地局７５、戸別受信機５０、遠隔操作装置７１、電話機７３を含むように構成される。図１５では、戸別受信機５０の図示を省略している。なお、遠隔操作装置７１と電話機７３を省略する構成とすることも可能である。
放送卓３０の構成（マイク３３、スピーカ３４、操作表示部３５、放送卓制御部３１、放送卓記憶部３２）は、第１実施形態と同様であり、放送卓制御部３１は、基地局７５に有線で接続されている。地区親局４０は、放送卓３０と基地局７５とを備えるように構成される。
【０１１８】
音声情報や非音声情報は、第１実施形態と同様に、地区親局４０から戸別受信機５０へ無線送信される。例えば、操作者によりマイク３３から入力されたアナログ音声情報を送信する場合は、地区親局４０は、該アナログ音声情報を、ＡＭＢＥ＋２により音声符号化し、デジタル音声情報として戸別受信機５０へ無線送信する。また、操作者により放送卓３０を介して指示された非音声情報を送信する場合は、地区親局４０は、該非音声情報を特定する制御情報を、戸別受信機５０へ無線送信する。
【０１１９】
戸別受信機５０は、デジタル音声情報を受信した場合は、ＡＭＢＥ＋２により音声復号化し、戸別受信機５０のスピーカ５９から出力する。また、戸別受信機５０は、非音声情報を特定する制御情報を受信した場合は、受信した制御情報に基づき、保持している音源を選択し、戸別受信機５０のスピーカ５９から出力する。こうして、音声復号化を行うことなく、音声以外の音（サイレン音、チャイム音、ミュージック音等）を出力することができる。
【０１２０】
同様にして、遠隔操作装置７１からの音声情報や非音声情報を、放送卓３０と基地局７５を介して戸別受信機５０へ送信し、戸別受信機５０のスピーカ５９から出力することができる。遠隔操作装置７１からの放送の通信制御シーケンスは、後述する。
【０１２１】
放送卓３０から放送する際の通信制御シーケンスについて説明する。図１６は、第２実施形態における放送卓３０からの放送時の通信制御シーケンスである。
【０１２２】
まず、扱い者（操作者）が、放送卓３０で通報先等を選択し呼出スイッチを押下することで（図１６のステップＳ１０１）、基地局７５に、送信制御要求電文(チャネル確保)をシリアル回線で送信する（ステップＳ１０２）。すると基地局７５は、地区放送システムの無線区間のチャネルの確保を行う（ステップＳ１０３）。無線区間のチャネルを確保した後、基地局７５は、放送卓３０に状態通知電文(チャネル確保)を送信する（ステップＳ１０４）。放送卓３０は、チャネル確保できたことを知ると、基地局７５に電文送信要求電文(音声放送)を送信する（ステップＳ１０５）。すると基地局７５は、戸別受信機５０に音声放送電文を無線送信する（ステップＳ１０６）。すると戸別受信機５０は、放送を受信できる状態になる。基地局７５から電文送信応答を受信すると（ステップＳ１０７）、放送卓３０は送信可能状態になる（ステップＳ１０８）。
【０１２３】
次に、扱い者が放送卓３０からサイレンスイッチを押下すると（ステップＳ１１１）、放送卓３０は、基地局７５に制御情報として、電文送信要求電文(サイレン)を送信する（ステップＳ１１２）。すると基地局７５は、戸別受信機５０に音源切替信号電文（サイレン）を送信する（ステップＳ１１３）。すると戸別受信機５０は、内部で保持しているサイレン音を戸別受信機５０のスピーカ５９から出力する（ステップＳ１１４）。
【０１２４】
次に、扱い者が放送卓３０からマイクスイッチを押下すると（ステップＳ１１５）、放送卓３０は、基地局７５に制御情報として、電文送信要求電文(音声)を送信し（ステップＳ１１６）、放送卓３０と基地局７５間の音声ラインを繋ぐ。すると基地局７５は、戸別受信機５０に音源切替信号電文(音声)を送信する（ステップＳ１１７）。そして、放送卓３０のマイクからの音声が送信されると（ステップＳ１１８）、この音声を戸別受信機５０のスピーカ５９から出力する（ステップＳ１１９）。
【０１２５】
終話するときには、扱い者が放送卓３０の終話スイッチを押下することで（ステップＳ１２１）、放送卓３０から基地局７５に電文送信要求電文（終話）を送信する（ステップＳ１２２）。すると基地局７５は、戸別受信機５０に放送終了信号電文を送信する（ステップＳ１２３）。放送終了信号電文を受信すると、戸別受信機５０は放送を終了し、放送音を受信できない状態になる。放送卓３０が、基地局７５に送信制御要求（チャネル解放）を送信すると（ステップＳ１２４）、基地局７５は、確保していた無線区間のチャネルを解放する。
【０１２６】
次に、電話機７３からの放送予約について説明する。図１７は、第２実施形態における放送予約時の通信制御シーケンスである。
【０１２７】
まず、扱い者が、電話機７３から公衆網７２を介して、遠隔操作装置７１に電話をかける（図１７のステップＳ５１）。遠隔操作装置７１は、電話を受けると音声ガイダンスを流す（ステップＳ５２）。扱い者は、何月何日何時何分に放送を行うか等の予約を電話のダイヤル操作によって行い（ステップＳ５３）、音声メッセージ録音を開始する（ステップＳ５４）。すると、電話機７３から遠隔操作装置７１へ、録音される音声メッセージが送信される（ステップＳ５５）。遠隔操作装置７１は、受信した音声メッセージを、自身の記憶部に格納する。
【０１２８】
音声メッセージが終了すると、扱い者が、電話機７３から音声メッセージ終了を遠隔操作装置７１に伝える（ステップＳ５６）。扱い者は、遠隔操作装置７１からの音声ガイダンスに従って、放送予約終了操作を行い、電話機７３をオンフックする（ステップＳ５７）。
【０１２９】
次に、遠隔操作装置７１からの予約放送について説明する。図１８は、第２実施形態における予約放送時の通信制御シーケンスである。
【０１３０】
まず、放送時刻の例えば１０秒前になると、遠隔操作装置７１が、放送卓３０に操作指示コマンド電文(回線確保)を送信する（図１８のステップＳ２０１）。すると放送卓３０は、回線確保処理を行う。次に、遠隔操作装置７１は、放送卓３０に操作指示コマンド電文(呼出)を送信する（ステップＳ２０２）。すると放送卓３０は、基地局７５に送信制御要求電文(チャネル確保)をシリアル回線で送信する（ステップＳ２０３）。すると基地局７５は、無線区間のチャネルの確保を行う（ステップＳ２０４）。
【０１３１】
基地局７５は、チャネル確保ができると、放送卓３０に状態通知電文(チャネル確保)を送信する（ステップＳ２０５）。放送卓３０は、チャネル確保できたことを確認したうえで、予約放送時刻になるまで待ってから、基地局７５に電文送信要求電文(音声放送)を送信する（ステップＳ２０６）。基地局７５は、戸別受信機５０に音声放送電文を無線送信する（ステップＳ２０７）。すると戸別受信機５０は、放送を受信できる状態になる。また、基地局７５は、放送卓３０から電文送信要求電文(音声放送)を受信すると、電文送信応答を放送卓３０へ返信する。すると放送卓３０は、通報ステータス（放送可）を遠隔操作装置７１へ送信する（ステップＳ２０８）。
【０１３２】
放送卓３０からの通報ステータス（放送可）を受信すると、遠隔操作装置７１は、放送卓３０に音源切替通知電文(チャイム)を送信する（ステップＳ２０９）。すると放送卓３０は、制御情報として、電文送信要求電文(チャイム)を基地局７５に送信する（ステップＳ２１０）。すると基地局７５は、戸別受信機５０に音源切替信号電文（チャイム）を送信する（ステップＳ２１１）。すると戸別受信機５０は、内部で保持しているチャイム音を戸別受信機５０のスピーカ５９から出力する（ステップＳ２１２）。
【０１３３】
次に、遠隔操作装置７１は、放送卓３０に音源切替通知電文(音声)を送信する（ステップＳ２１５）。すると放送卓３０は、制御情報として、電文送信要求電文(音声)を基地局７５に送信し（ステップＳ２１６）、放送卓３０と基地局７５間の音声ラインを繋ぐ。すると基地局７５は、戸別受信機５０に音源切替信号電文(音声)を送信する（ステップＳ２１７）。また、基地局７５は、放送卓３０からの電文送信要求電文(音声)に対する応答を、放送卓３０を介して、遠隔操作装置７１へ送信する（ステップＳ２１８）。すると遠隔操作装置７１は、放送卓３０と基地局７５を介して、戸別受信機５０へ音声を送信する。すると戸別受信機５０は、遠隔操作装置７１からの音声を、戸別受信機５０のスピーカ５９から出力する（ステップＳ２１９）。
【０１３４】
遠隔操作装置７１は、放送する内容が全て終了したら、放送卓３０に操作指示コマンド電文(終話)を送信する（ステップＳ２２１）。すると放送卓３０は、基地局７５に電文送信要求電文（終話）を送信する（ステップＳ２２２）。すると基地局７５は、戸別受信機５０に放送終了信号電文を送信する（ステップＳ２２３）。これを受信した戸別受信機５０は、放送を終了し、放送音を受信できない状態になる。放送卓３０が、基地局７５に送信制御要求（チャネル解放）を送信すると（ステップＳ２２４）、基地局７５は、確保していた無線区間のチャネルを解放する。
【０１３５】
第２実施形態によれば、少なくとも次の効果を得ることができる。
（Ｂ１）予め地区子局５０（受信装置）が非音声情報を制御情報と対応付けて記憶しておき、地区親局４０（送信装置）が地区子局５０へ制御情報を送信し、地区子局５０は、受信した制御情報に基づき非音声情報を音で出力するように構成したので、地区親局４０で音声符号化された非音声情報が、地区子局５０において適切に音声復号化されない場合においても、地区子局５０において制御情報に基づき非音声情報を適切な音で出力することができる。
【０１３６】
なお、本発明は、上述した実施形態に限定されるものではなく、種々変形、組み合わせて実施することができる。
また、本発明は、本発明に係る処理を実行するシステムとしてだけでなく、装置、方法として、或いは、このような方法やシステムを実現するためのプログラムや当該プログラムを記録する記録媒体などとして把握することができる。
また、本発明は、ＣＰＵがメモリに格納された制御プログラムを実行することにより制御する構成としてもよく、また、ハードウエア回路として構成してもよい。
【０１３７】
本明細書には、少なくとも次の構成が含まれる。すなわち、
第１の構成は、
送信装置から無線送信された放送音を、中継装置を介して受信装置で受信して出力する無線通信システムであって、
前記送信装置は、特定音種の音情報である第１の音情報を送信する場合に、前記第１の音情報とともに、前記第１の音情報を特定する制御情報を送信し、
前記中継装置は、前記送信装置から前記制御情報を受信すると、該受信した制御情報を無線送信し、
前記受信装置は、記憶部を備え、予め前記第１の音情報を前記制御情報と対応付けて前記記憶部に記憶しておき、前記中継装置から前記制御情報を受信すると、該受信した制御情報に基づき前記記憶部から前記第１の音情報を読み出して音で出力することを特徴とする無線通信システム。
【０１３８】
第２の構成は、上記第１の構成の無線通信システムであって、
前記送信装置は、前記第１の音情報と異なる音種である第２の音情報を送信し、
前記中継装置は、前記送信装置から前記第２の音情報を受信すると、該受信した第２の音情報を送信し、
前記受信装置は、前記中継装置から前記第２の音情報を受信すると、該受信した第２の音情報を音で出力することを特徴とする無線通信システム。
【０１３９】
第３の構成は、上記第１又は第２の構成の無線通信システムであって、
前記中継装置は、前記送信装置から前記第１の音情報と前記制御情報とを受信した場合に、前記第１の音情報を送信することなく前記制御情報を送信することを特徴とする無線通信システム。
【０１４０】
第４の構成は、上記第２ないし第３の構成の無線通信システムであって、
前記第１の音情報は、人の声以外の非音声情報であり、前記第２の音情報は、人の声である音声情報であることを特徴とする無線通信システム。
【０１４１】
第５の構成は、上記第２ないし第４の構成の無線通信システムであって、
前記中継装置は、前記送信装置から前記第１の音情報又は前記第２の音情報を受信すると、該受信した第１の音情報又は第２の音情報を音で出力することを特徴とする無線通信システム。
【０１４２】
第６の構成は、上記第５の構成の無線通信システムであって、
前記送信装置は、前記第１及び第２の音情報を第１の音声符号器で符号化し、該符号化された前記第１及び第２の音情報と、前記制御情報とを、デジタル信号により無線送信し、
前記中継装置は、
前記送信装置から前記第１の音情報と前記制御情報とを受信した場合は、該受信した第１の音情報を、前記第１の音声符号器に対応する第１の音声復号器で復号化し、第１のアナログ信号に変換して音で出力するとともに、前記受信した制御情報をデジタル信号により前記受信装置へ無線送信し、
前記送信装置から前記第２の音情報を受信した場合は、該受信した第２の音情報を、前記第１の音声復号器で復号化し、第２のアナログ信号に変換して音で出力するとともに、前記第２のアナログ信号を、デジタル信号に変換し、前記第１の音声符号器と異なる第２の音声符号器で符号化して前記受信装置へ無線送信し、
前記受信装置は、
前記中継装置から前記制御情報を受信した場合は、該受信した制御情報に基づき前記記憶部から前記第１の音情報を読み出して音で出力し、
前記中継装置から前記第２の音声符号器で符号化された第２の音情報を受信した場合は、該受信した第２の音情報を、前記第２の音声符号器に対応する第２の音声復号器で復号化し、音で出力することを特徴とする無線通信システム。
【０１４３】
第７の構成は、上記第６の構成の無線通信システムであって、
前記送信装置は、第１のデジタル無線通信システムの親局である第１の親局であり、
前記中継装置は、前記第１のデジタル無線通信システムの子局である第１の子局と、第２のデジタル無線通信システムの親局である第２の親局とを含むように構成され、
前記受信装置は、前記第２のデジタル無線通信システムの子局である第２の子局であることを特徴とする無線通信システム。
【０１４４】
第８の構成は、上記第７の構成の無線通信システムであって、
前記第１のデジタル無線通信システムは、同報系デジタル無線システムであり、
前記第２のデジタル無線通信システムは、地域放送システムであることを特徴とする無線通信システム。
【０１４５】
第９の構成は、上記第７の構成又は第８の構成の無線通信システムであって、
前記第１の子局は、
前記第１の親局から前記第１の音情報と前記制御情報とを受信した場合は、該受信した第１の音情報を、前記第１の音声復号器で復号化し、前記第１のアナログ信号に変換して音で出力するとともに、該第１のアナログ信号と前記受信した制御情報とを前記第２の親局へ送信し、
前記第１の親局から前記第２の音情報を受信した場合は、該受信した第２の音情報を、前記第１の音声復号器で復号化し、前記第２のアナログ信号に変換して音で出力するとともに、前記第２のアナログ信号を前記第２の親局へ送信し、
前記第２の親局は、
前記第１の子局から前記第１のアナログ信号と前記制御情報とを受信した場合は、前記制御情報をデジタル信号により前記第２の子局へ無線送信し、
前記第１の子局から前記第２のアナログ信号を受信した場合は、該受信した第２のアナログ信号を、デジタル信号に変換し前記第２の音声符号器で符号化して前記第２の子局へ無線送信することを特徴とする無線通信システム。
【０１４６】
第１０の構成は、上記第９の構成の無線通信システムであって、
前記第２の親局は、
前記第１の子局から前記第１のアナログ信号と前記制御情報とを受信した場合は、前記受信した第１のアナログ信号を音で出力し、
前記第１の子局から前記第２のアナログ信号を受信した場合は、該受信した第２のアナログ信号を音で出力することを特徴とする無線通信システム。
【０１４７】
第１１の構成は、
送信装置から無線送信された放送音を、中継装置を介して受信装置で受信して出力する無線通信システムであって、
前記送信装置は、特定音種の音情報である第１の音情報と、前記第１の音情報と異なる音種である第２の音情報とを、第１の音声符号器で符号化して送信可能であり、前記第１の音情報を送信する場合に、前記第１の音情報とともに、前記第１の音情報を特定する制御情報を送信し、
前記中継装置は、前記送信装置から、前記第１の音情報と前記制御情報とを受信すると、該受信した前記制御情報を無線送信し、前記第２の音情報を受信すると、該受信した第２の音情報を、前記第１の音声符号器に対応する第１の音声復号器で復号化した後、前記第１の音声符号器と異なる第２の音声符号器で符号化して無線送信し、
前記受信装置は、記憶部を備え、予め前記第１の音情報を前記制御情報と対応付けて前記記憶部に記憶しておき、前記中継装置から前記制御情報を受信すると、該受信した制御情報に基づき前記記憶部から前記第１の音情報を読み出して音で出力し、前記中継装置から前記第２の音声符号器で符号化された第２の音情報を受信すると、該受信した第２の音情報を、前記第２の音声符号器に対応する第２の音声復号器で復号化して音で出力することを特徴とする無線通信システム。
【０１４８】
第１２の構成は、
送信装置から無線送信された放送音を、受信装置で受信して出力する無線通信システムであって、
前記送信装置は、第１の音情報を特定する制御情報を送信可能であるとともに、該第１の音情報と異なる音種である第２の音情報を音声符号化して送信可能であり、
前記受信装置は、記憶部を備え、予め前記第１の音情報を前記制御情報と対応付けて前記記憶部に記憶しておき、前記送信装置から前記制御情報を受信すると、該受信した制御情報に基づき前記記憶部から前記第１の音情報を読み出して音で出力し、前記送信装置から前記第２の音情報を受信すると、該受信した第２の音情報を音声復号化して音で出力することを特徴とする無線通信システム。
【符号の説明】
【０１４９】
１０…同報系親局（送信装置）、２０…同報系子局、２１…子局制御部、２２…子局記憶部、２３…子局無線部、２４…子局アンテナ、２５…子局増幅部、２６…トランペットスピーカ、２７…アナログオーディオ信号、２８…制御信号（ａ）、３０…放送卓、３１…放送卓制御部、３２…放送卓記憶部、３３…マイク、３４…スピーカ、３５…操作表示部、３７…デジタル音声信号、３８…制御信号（ｂ）、３９…無線装置、４０…地区親局、５０…地区子局（受信装置）、５１…地区子局制御部、５２…地区子局記憶部、５２ａ…非音声データ、５３…送信部、５４…受信部、５５…切換スイッチ、５５ａ…アンテナ、５７…操作表示部、５８…マイク、５９…スピーカ、７１…遠隔操作装置、７２…公衆網、７３…電話機、７４…ネットワーク、７５…基地局。
【図１】
2015070297.tif 000003
【図２】
2015070297.tif 000004
【図３】
2015070297.tif 000005
【図４】
2015070297.tif 000006
【図５】
2015070297.tif 000007
【図６】
2015070297.tif 000008
【図７】
2015070297.tif 000009
【図８】
2015070297.tif 000010
【図９】
2015070297.tif 000011
【図１０】
2015070297.tif 000012
【図１１】
2015070297.tif 000013
【図１２】
2015070297.tif 000014
【図１３】
2015070297.tif 000015
【図１４】
2015070297.tif 000016
【図１５】
2015070297.tif 000017
【図１６】
2015070297.tif 000018
【図１７】
2015070297.tif 000019
【図１８】
2015070297.tif 000020
【図１９】
2015070297.tif 000021